(57)【要約】【課題】  引き出しの収納容量を増加させて空間占有率を小さくすると同時に、現場での変更に対しても迅速に対応することができる現場施工性のよい収納キャビネットを提供することにある。【解決手段】  引出し部材は、前板２及び側板３，４と、側板３，４よりも奥行きが小さい底板５とからなる固定部材１と、固定部材１の後方に収められて収納スペースを形成する可変部材６とからなり、可変部材６は、中空空間が排水トラップ１３の外形形状よりも大きく形成されるとともに、底板５の後方端であって排水トラップ１３が挿通可能な所定位置に配される平面視略コ字型壁部材からなるトラップ挿通片７と、固定部材１とトラップ挿通片７との間に介在して、固定部材１の側板３，４及び底板５とトラップ挿通片７の壁部とを連続して形成させる側面視略Ｌ字型の補助片８、９と、からなる構成される。【選択図】  図１
2005304945.tif 000002
【特許請求の範囲】
【請求項１】
前面開口した箱型のキャビネットの内部後方に配される排水トラップと、前記前面開口から出し入れ可能に引き出される引出し部材とを備えた収納キャビネットであって、
前記引出し部材は、前板及び側板と、前記側板よりも奥行きが小さい底板とからなる固定部材と、前記固定部材の後方に収められて収納スペースを形成する可変部材とからなり、
前記可変部材は、
中空空間が前記排水トラップの外形形状よりも大きく形成されるとともに、前記底板の後方端であって前記排水トラップが挿通可能な所定位置に配される平面視略コ字型壁部材からなるトラップ挿通片と、
前記固定部材と前記トラップ挿通片との間に介在して、前記固定部材の側板及び底板と前記トラップ挿通片の壁部とを連続して形成させる側面視略Ｌ字型の補助片と、
からなることを特徴とする収納キャビネット。
【発明の詳細な説明】
【技術分野】
【０００１】
本発明は、収納キャビネットに関するものであり、より詳細には、前面開口した箱型であって、前方に引き出される引出し部材を備えた収納キャビネットに関するものである。
【背景技術】
【０００２】
内部に排水トラップ及び前方に引出し可能な引出し部材を備えた収納キャビネットの従来のものとしては、図３、図４に示すような、洗面台２１、排水トラップ２２、及びこれらを接続し、また下水等に排出するための配管に用いられる管体部材２３等の各部材から構成され、洗面台２１は、底面に排水口を備えた洗面ボウル２４と、この洗面ボウル２４の下方に配置されたキャビネット部２５からなり、キャビネット部２５内には、後壁２８ａに凹部２７を設けた引き出し部２８が収納されてなるものが知られている。この引き出し部２８の後壁２８ａには凹部２７が形成されているため、排水トラップ２２を排出口２９を中心に回転させて位置を調節することにより、引き出し部２８の後壁２８ａの凹部２７内に収納可能となり、キャビネット部２５内における空間占有率を減少させることができる。
【０００３】
しかし、かかる収納キャビネットにおいては、予め引き出し部２８の後壁２８ａに凹部２７が形成されている為、排水トラップ２２の位置や大きさを施工時に大幅に変更した場合には、凹部２７内に排水トラップ２２を収納させることが困難となり、適切な部位に凹部２７が形成された引き出し部２８を再度作り直す必要が生じ、その間施工が遅れてしまうという問題があった。また、かかる問題を回避するために、引き出し部２８の奥行きを小さくすれば、引き出し部２８の収納できる容量が小さくなり、キャビネット部２５内における空間占有率が増加するという問題が生じる（特許文献１）。
【特許文献１】特開２００２−１６７８３２号公報
【発明の開示】
【発明が解決しようとする課題】
【０００４】
本発明は、このような点に鑑みてなされたものであり、その目的とするところは、引き出しの収納容量を増加させて空間占有率を小さくすると同時に、現場での変更に対しても迅速に対応することができる現場施工性のよい収納キャビネットを提供することである。
【課題を解決するための手段】
【０００５】
上記した課題を解決するために、本発明の請求項１に係る収納キャビネットは、前面開口した箱型のキャビネットの内部後方に配される排水トラップと、前記前面開口から出し入れ可能に引き出される引出し部材とを備えた収納キャビネットであって、前記引出し部材は、前板及び側板と、前記側板よりも奥行きが小さい底板とからなる固定部材と、前記固定部材の後方に収められて収納スペースを形成する可変部材とからなり、前記可変部材は、中空空間が前記排水トラップの外形形状よりも大きく形成されるとともに、前記底板の後方端であって前記排水トラップが挿通可能な所定位置に配される平面視略コ字型壁部材からなるトラップ挿通片と、前記固定部材と前記トラップ挿通片との間に介在して、前記固定部材の側板及び底板と前記トラップ挿通片の壁部とを連続して形成させる側面視略Ｌ字型の補助片と、からなることを特徴とする。
【発明の効果】
【０００６】
本発明の請求項１に係る収納キャビネットによると、引き出し部材を構成する平面視略コ字型壁部材からなるトラップ挿通片の中空空間が、キャビネットの内部後方に配される排水トラップの外形形状よりも大きく形成されるとともに、この排水トラップが挿通可能な所定位置に配されるので、施工現場で実際の排水トラップの大きさや位置に容易に対応することができ、また、側面視略Ｌ字型の補助片は、固定部材と前記トラップ挿通片との間に介在して、前記固定部材の側板及び底板と前記トラップ挿通片の壁部とを連続して形成させるものであるので、最適な幅形状の補助片を選択して組み込むことにより、トラップ挿通片の設置位置に柔軟に対応して収納スペースを形成することができる。その結果、排水トラップの側方も収納スペースとして活用できて、引き出しの収納容量が増加し、空間占有率が小さくなるうえ、施工現場での変更に対しても迅速に対応することができる。
【発明を実施するための最良の形態】
【０００７】
本発明の実施形態を図１及び図２に基づいて説明する。図１及び図２において、１は固定部材、２は前板、３、４は側板、５は底板、６は可変部材、７はトラップ挿通片、７ａは前面部、７ｂ、７ｃは側面部、８、９は補助片、８ａ、９ａは底面部、８ｂ、９ｂは後面部、１３は排水トラップである。
【０００８】
本実施形態における収納キャビネットは、従来技術として図３に示したものと同様に、洗面台、排水トラップ、及び洗面台と排水トラップとを接続し、また下水等に排出するための配管に用いられる管体部材等の各部材から構成され、洗面台は、底面に排水口を備えた洗面ボウルと、この洗面ボウルの下方に配置されたキャビネット部からなり、キャビネット部内には、引き出し部が収納されている。本実施形態における収納キャビネットはこの引き出し部に特徴を有しており、以下に詳述する。
【０００９】
図１は、本実施形態における収納キャビネットの引き出し部材の概略を示す分解斜視図であり、図２は組み立て後の引き出し部材の概略を示す斜視図である。図１に示すように、引き出し部材は、前面開口した箱型のキャビネット内に前方に引き出されるものであって、現場施工前に予め組み立てられて、形状が固定される固定部材１と、現場施工時に施工状況に応じて組み立てられる可変部材６とから構成される。
【００１０】
固定部材１は、正面視略矩形の前板２と、前板２の裏面側の左右両位端部から後方かつ略直角に立設されるの一対の側板３、４と、前板２及び側板３、４の下端に３辺が結合する底板５とから形成される。
【００１１】
側板３、４は一定の間隔Ｗ１で相対向するよう立設される同一形状（奥行きＤ１、高さＨ１）の部材であり、底板５の幅は側板３、４間の設置間隔Ｗ１と略同一に形成されている。また、底板５の奥行きＤ２は、側板３、４の奥行きＤ１よりも小さくなるよう形成されている。
【００１２】
なお、これら前板２、側板３、４及び底板５のそれぞれの結合は、接着剤や釘、螺子等のような公知の結合手段を用いて行なう。
【００１３】
可変部材６は、断面略コ字型のトラップ挿通片７と断面略Ｌ字型の補助片８、９とから構成される。
【００１４】
トラップ挿通片７は、前面部７ａの両端が所定の幅Ｗ２になるよう屈曲されて後方に側面部７ｂ、７ｃが突設する断面略コ字型の壁部材であって、一対の側面部７ｂ、７ｃは前面部７ａに対して略直角に突設されているので、内面同士が一定の間隔Ｗ２で相対向している。この一対の側面部７ｂ、７ｃの奥行きＤ３は側板３、４の奥行きから底板５の奥行きを引いた長さ（Ｄ１−Ｄ２）と略同一である。また、トラップ挿通片７のコ字型の中空空間は、排水トラップ１３の外形形状よりも大きくなるよう形成されている。例えば排水トラップ１３の外形がＥ１である場合には、側面部７ｂ、７ｃ間の距離Ｗ２がＥ１より大きいものを選択する。
【００１５】
このトラップ挿通片７は、前面部７ａの前面側下方が底板５の後方の端面と結合して固定される。その際、予め設計された設置位置では中空空間に排水トラップ１３が挿通できない場合には、適宜設定位置を修正して固定される。トラップ挿通片７の設定位置が決まれば、側面部７ｂ・側板３間の距離と、側面部７ｃ・側板４間の距離が決まるので、予め用意された複数の幅のものから、最適な幅のもの、すなわち、幅Ｗ３の補助片８と、幅Ｗ４の補助片９を選択する。
【００１６】
補助片８は、幅が上述のＷ３であり、奥行きがＤ３の略矩形である底面部８ａと、底面部８ａの後端から上方に略直角に突設して、高さが側板３と略同一の略矩形である後面部８ｂとから構成される。また、補助片９は、幅が上述のＷ４であり、奥行きがＤ３の略矩形である底面部９ａと、底面部９ａの後端から上方に略直角に突設して、高さが側板４と略同一の略矩形である後面部９ｂとから構成される。
【００１７】
この補助片８を、側板３と底板５の後端とトラップ挿通片の側面部７ｂとで形成される底面側及び後面側の空間を閉塞するように組み込み、また、補助片９を、側面４と底板５の後端とトラップ挿通片の側面部７ｃとで形成される底面側及び後面側の空間を閉塞するように組み込む。すなわち、補助片９を、固定部材１とトラップ挿通片７との間に介在させて、固定部材１の側板３，４及び底板５とトラップ挿通片７の壁部とを連続して形成させることにより引き出し部の収納スペースを形成し、図２に示すような引き出し部が得られる。
【００１８】
引き出し部を、上述したような構成、すなわち、引き出し部材を構成する平面視略コ字型壁部材からなるトラップ挿通片７の中空空間が、キャビネットの内部後方に配される排水トラップ１３の外形形状よりも大きく形成されるとともに、この排水トラップ１３が挿通可能な所定位置に配されるので、施工現場で実際の排水トラップ１３の大きさや位置に容易に対応することができ、また、側面視略Ｌ字型の補助片９は、固定部材１とトラップ挿通片７との間に介在して、固定部材１の側板３，４及び底板５とトラップ挿通片７の壁部とを連続して形成させるものであるので、最適な幅形状の補助片９を選択して組み込むことにより、トラップ挿通片７の設置位置に柔軟に対応して収納スペースを形成することができる。その結果、排水トラップ１３の側方も収納スペースとして活用できて、引き出しの収納容量が増加し、空間占有率が小さくなるうえ、施工現場での変更に対しても迅速に対応することができる。
【図面の簡単な説明】
【００１９】
【図１】本発明の実施形態における収納キャビネットの引き出し部材の概略を示す斜視図である。
【図２】本発明の実施形態における収納キャビネットの、組み立て後の引き出し部材の概略を示す斜視図である。
【図３】従来例を示す正面図である。
【図４】従来例を示す横断面図である。
【符号の説明】
【００２０】
１    固定部材
２    前板
３、４  側板
５    底板
６    可変部材
８，９  補助片
１３  排水トラップ
【図１】
2005304945.tif 000003
【図２】
2005304945.tif 000004
【図３】
2005304945.tif 000005
【図４】
2005304945.tif 000006